【手続補正書】
【提出日】平成22年8月5日(2010.8.5)
【手続補正１】
【補正対象書類名】特許請求の範囲
【補正対象項目名】全文
【補正方法】変更
【補正の内容】
【特許請求の範囲】
【請求項１】
画像を取得する画像取得手段と、
前記画像取得手段が取得した画像の表示形式を変換する変換手段と、
画像を表示する表示部を有した端末装置を模擬することで、前記変換手段が変換した前記表示形式に従って前記表示部が行う前記画像の表示を模擬する模擬手段と、
前記端末装置が実行するプログラムを取得する情報取得手段と、
前記変換手段が変換した画像を、前記模擬手段が模擬した端末装置へ送信する送信手段と、を備え、
前記模擬手段は、前記情報取得手段が取得したプログラムの前記端末装置による実行を模擬することで、前記端末装置が有する表示部の表示を模擬することを特徴とする画像変換装置。
【請求項２】
前記情報取得手段は、前記端末装置がプログラムを実行するために用いる情報を取得し、
前記模擬手段は、前記情報取得手段が取得した情報を用いて前記プログラムの前記端末装置による実行を模擬することを特徴とする請求項１に記載の画像変換装置。
【請求項３】
画像を表示する表示部を有した端末装置と、
前記端末装置が実行するプログラムを管理する管理装置と、
画像の表示形式を変換する変換手段、前記端末装置を模擬することで、前記変換手段が変換した前記表示形式に従って前記表示部が行う前記画像の表示を模擬する模擬手段、前記端末装置が実行するプログラムを前記管理装置から取得する情報取得手段、及び、前記変換手段が変換した画像を、前記模擬手段が模擬した端末装置へ送信する送信手段を有する画像変換装置と、を備え、
前記模擬手段は、前記管理装置が管理するプログラムの前記端末装置による実行を模擬することで、前記端末装置が有する表示部の表示を模擬することを特徴とすることを特徴とする画像変換システム。
【請求項４】
コンピュータを、
画像を取得する画像取得手段、
前記画像取得手段が取得した画像の表示形式を変換する変換手段、
画像を表示する表示部を有した端末装置を模擬することで、前記変換手段が変換した前記表示形式に従って前記表示部が行う前記画像の表示を模擬する模擬手段、
前記端末装置が実行するプログラムを取得する情報取得手段、
前記変換手段が変換した画像を、前記模擬手段が模擬した端末装置へ送信する送信手段として機能させる画像変換プログラムであって、
前記模擬手段は、前記情報取得手段が取得したプログラムの前記端末装置による実行を模擬することで、前記端末装置が有する表示部の表示を模擬することを特徴とする画像変換プログラム。
【手続補正２】
【補正対象書類名】明細書
【補正対象項目名】００１０
【補正方法】変更
【補正の内容】
【００１０】
本発明に係る画像変換装置は、画像を取得する画像取得手段と、画像取得手段が取得した画像の表示形式を変換する変換手段と、画像を表示する表示部を有した端末装置を模擬することで、変換手段が変換した表示形式に従って表示部が行う画像の表示を模擬する模擬手段と、端末装置が実行するプログラムを取得する情報取得手段と、変換手段が変換した画像を、模擬手段が模擬した端末装置へ送信する送信手段と、を備え、模擬手段は、情報取得手段が取得したプログラムの端末装置による実行を模擬することで、端末装置が有する表示部の表示を模擬することを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
本発明に係る画像変換システムは、画像を表示する表示部を有した端末装置と、端末装置が実行するプログラムを管理する管理装置と、画像の表示形式を変換する変換手段、端末装置を模擬することで、変換手段が変換した表示形式に従って表示部が行う画像の表示を模擬する模擬手段、端末装置が実行するプログラムを管理装置から取得する情報取得手段、及び、変換手段が変換した画像を、模擬手段が模擬した端末装置へ送信する送信手段を有する画像変換装置と、を備え、模擬手段は、管理装置が管理するプログラムの端末装置による実行を模擬することで、端末装置が有する表示部の表示を模擬することを特徴としている。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
本発明に係る画像変換プログラムは、コンピュータを、画像を取得する画像取得手段、画像取得手段が取得した画像の表示形式を変換する変換手段、画像を表示する表示部を有した端末装置を模擬することで、変換手段が変換した表示形式に従って表示部が行う画像の表示を模擬する模擬手段、端末装置が実行するプログラムを取得する情報取得手段、変換手段が変換した画像を、模擬手段が模擬した端末装置へ送信する送信手段として機能させる画像変換プログラムであって、模擬手段は、情報取得手段が取得したプログラムの端末装置による実行を模擬することで、端末装置が有する表示部の表示を模擬することを特徴としている。
【手続補正８】
【補正対象書類名】明細書
【補正対象項目名】００１７
【補正方法】変更
【補正の内容】
【００１７】
請求項１の構成によれば、取得した画像の表示形式を変換できるだけでなく、表示形式を変換された画像の端末装置が有する表示部による表示を模擬できる。また、端末装置が実行するプログラムを取得すると共に、取得したプログラムの端末装置による実行を模擬することで、端末装置が有する表示部の表示を精度良く模擬できる。さらに、表示形式が変換された画像を、模擬対象とした端末装置へ送信できる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
請求項２の構成によれば、端末装置がプログラムを実行するために用いる情報を取得すると共に、取得した情報を用いた端末装置によるプログラムの実行を精度良く模擬できる。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
請求項３の構成によれば、表示形式を変換された画像の端末装置が有する表示部による表示を模擬できるだけでなく、変換した画像を模擬した端末装置へ送信できる。また、管理装置が端末装置の実行するプログラムを管理するため、端末装置によるプログラムの実行を容易に模擬できるだけでなく、端末装置が有する表示部の表示を容易に模擬できる。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
請求項４の構成によれば、取得した画像の表示形式を変換できるだけでなく、表示形式を変換された画像の端末装置が有する表示部による表示を模擬できる。また、端末装置が実行するプログラムを取得すると共に、取得したプログラムの端末装置による実行を模擬することで、端末装置が有する表示部の表示を精度良く模擬できる。さらに、表示形式が変換された画像を、模擬対象とした端末装置へ送信できる。